(57)【特許請求の範囲】
【請求項１】
センサー（１４）を壁（１２）に取付けるための取付けパッド（１０）であって、
本体（２０）と、
センサー（１４）を取付けパッド（１０）の本体（２０）に取付ける本体（２０）上の手段（２２）と、
少なくとも２つの足パッド（２４）であって、各足パッド（２４）が縁（２６）と接着剤塗膜（２８）を有する取付け面（２８）と取付け面（２８）の反対側の外面（３０）とを有し、外面（３０）が足パッド（２４）の縁（２６）の中間で本体（２０）に回動自在に連結され、足パッド（２４）が壁（１２）の形状に一致するよう本体（２０）に対し回動できまた取付けパッド（１０）の本体（２０）を介して足パッド（２４）に加えられる全ての力が足パッド（２４）の縁（２６）の中間で加えられるようにしている、少なくとも２つの足パッド（２４）、
とを具備していることを特徴とするセンサーを壁に取付ける取付けパッド。
【請求項２】
本体（２０）とセンサー（１４）を取付けパッド（１０）の本体（２０）に取付ける本体（２０）上の手段（２２）と足パッド（２４）とが一体に成形され、足パッド（２４）が蝶番（５２）によって本体（２０）に連結されていることを特徴とする請求項１に記載の取付けパッド。
【請求項３】
各足パッド（２４）が他方の足パッド（２４）とほぼ平行の長手方向を有するほぼ矩形であり、各足パッド（２４）のための蝶番（５２）が足パッド（２４）の長手方向に沿って細長く延びていることを特徴とする請求項２に記載の取付けパッド。
【請求項４】
本体（２０）がほぼ平らでほぼ正方形又は矩形であり、本体（２０）が本体（２０）の平面から離れて蝶番（５２）の方にわん曲した対向する縁（５０）を有し、足パッド（２４）が本体（２０）に対し蝶番（５２）に沿って回動自在で足パッド（２４）の取付け面（２８）が本体（２０）とは平行ではない位置へと足パッド（２４）が回動できるようにされていることを特徴とする請求項２又は３に記載の取付けパッド。
【請求項５】
本体（２０）が取付け手段（２２）に取付けられたセンサー（１４）を受け入れる貫通した開口（３２）を有し、各足パッド（２４）が本体（２０）を貫通する開口（３２）に近接して凹面の円い縁部分（５４）を有していることを特徴とする請求項１から４のうちの１項に記載の取付けパッド。
【請求項６】
足パッド（２４）が、相互に近づく方向に本体（２０）に向って僅かに内側に傾斜した位置へと付勢され、それにより凸面にわん曲した表面を有する貯蔵器（１３）のハウジングにさらに一致するようにしていることを特徴とする請求項１から５のうちの１項に記載の取付けパッド。
【請求項７】
センサー（１４）を取付けパッド（１０）の本体（２０）に取付ける本体（２０）上の手段（２２）が差込み式接続具（２２）からなり、本体（２０）が差込み式接続具（２２）に取付けられたセンサー（１４）を受け入れる貫通した開口（３２）を有していることを特徴とする請求項１から６のうちの１項に記載の取付けパッド。
【請求項８】
取付けパッド（１０）が熱可塑性材料で一体成形されていることを特徴とする請求項１から７のうちの１項に記載の取付けパッド。
【請求項９】
足パッド（２４）が、壁（１２）の形状に一致する形状となるのに十分なように弾性的に屈撓することを特徴とする請求項１から８のうちの１項に記載の取付けパッド。
【請求項１０】
レベルセンサーの超音波変換器（１４）と超音波変換器（１４）を貯蔵器（１３）に取付ける機構との組合せであって、前記取付け機構が、
固定用部材（４０）と請求項１から９のうちの１項に記載の取付けパッド（１０）とを具備し、
前記固定用部材（４０）が、
第１の端部（４４）と、
超音波変換器（１４）を受け入れる内部空間（６０）であって、固定用部材（４０）の第１の端部（４４）を貫通する開放端部を有している、内部空間（６０）と、
固定用部材（４０）の第１の端部（４４）に近接した外側に延びる固定用タブ（３８）と、
超音波変換器（１４）を第１の端部（４４）に向う方向に付勢する固定用部材（４０）の内部のスプリング（６４）
とを有し、
センサー（１４）を取付けパッド（１０）の本体（２０）に取付ける本体（２０）上の手段（２２）が、差込み式固定用接続具（２２）からなり、差込み式固定用接続具（２２）が、固定用部材（４０）の固定用タブ（３８）を取付けパッド（１０）の本体（２０）に固定する突起（３４）を有し、固定用部材（４０）の内部空間（６０）の開放端部が本体（２２）を貫通する開口（３２）と整列するようにし、固定用部材（４０）の内部空間（６０）に受け入れられた超音波変換器（１４）の変換器レンズが本体（２０）の開口（３２）を通して受け入れられるようにしている、
レベルセンサーの超音波変換器と取付け機構との組合せ。
【請求項１１】
前記力が前記壁（１２）から外方へ向う力である請求項１に記載の取付けパッド。
【発明の詳細な説明】
【０００１】
【発明の属する技術分野】
本発明は一般にセンサーのための取付けパッドに関し、さらに詳細には、壁、例えば体外循環支持回路に用いられる血液貯蔵器のハウジング壁の流体レベルセンサー変換器のような、センサー変換器を取付けるための取付けパッドに関する。
【０００２】
【従来の技術】
１つ又は複数の流体レベルセンサーを堅い血液貯蔵器に取付け貯蔵器内の流体レベルが種々の高さを超え又は降下した時警告（警音又は警報）を発することが知られている。“警音”は、灌注する者又はその他の医療従事者に対し、例えば、貯蔵器内の液体レベルが特定のレベルより下に降下し、灌注する者又は他の医療従事者がこれに応じて何らかの所望の又は必要な手順をとることを知らせる、音で聞こえる及び／又は目で見える警告である。“警報”は音で聞く及び／又は目に見える警告に、例えば灌注ポンプを止めるような装置による自動的な応答を加えたものである。１つの好適な技術は液体の第１の低いレベルにとっての“警音”と液体が第２の低いレベル以下に降下した時の“警報”とを提供することである。
【０００３】
超音波血液レベルセンサーの例は、米国ミネソタ，セントポールのミネソタマイニングアンドマニュファクチャリング会社からの商標名“ＳＡＲＮＳ  ８Ｋ”と“ＳＡＲＮＳ  ９Ｋ”のレベルセンサー、スエーデン国ルンド、のジョストラＡＢからの商標名“ＳＴＯＣＫＥＲＴ−ＳＨＩＬＥＹ  ＣＡＰＳ”及び“ＳＴＯＣＫＥＲＴ  ＬＥＶＥＬ  ＤＥＴＥＣＴＯＲ  １１”、イタリー国サルジア、のソリンバイオメディカＳＰＡ又は米国，カリフオルニア，アーバイン、のソリンバイオメディカル会社からの商標名“ＳＴＯＣＫＥＲＴ  ＬＥＶＥＬ  ＤＥＴＥＣＴＯＲ  １１”のもとに入手可能である。他のセンサーはまたこのような貯蔵器の壁に取付けられる、例えば血液ガスセンサーである。
【０００４】
典型的には、堅い血液貯蔵器はポリカーボネートのような、透明の超音波適合性材料で形成されたハウジング壁を有している。多くは、これら貯蔵器はほぼ円形の断面又は他の扁平でない壁の断面を有している。このような堅い血液貯蔵器の例は米国，ミネソタ，セントポールのミネソタマイニングアンドマニュファクチャリング会社から商標名“ＳＡＲＮＳ”静脈血貯蔵器と商標名“ＳＡＲＮＳ”一体静脈血／心臓切開貯蔵器のもとに入手可能である。堅い血液貯蔵器は例えば共同譲渡の米国特許第５，１４９，３１８号、第５，１５２，９６４号、第５，２５４，０８０号、第５，２８２，７８３号、第５，３０４，１６４号、及び第５，４０３，２７７号と共同譲渡の１９９３年１０月２５日出願の米国特許出願シリーズ番号０８／１４２，８０９に、開示されている。またＰＣＴ国際特許出願公告第ＷＯ９５／１１７０９号を参照されたい。
【０００５】
従来のレベルセンサー取付けパッドの１つは米国，ミネソタ，セントポールのミネソタマイニングアンドマニュファクチャリング会社から商標名“ＳＡＲＮＳＬｅｖｅｌ  Ｓｅｎｓｏｒ  Ｐａｄｓ（部品番号１６４３２９０１）”のもとに入手可能である。これらのパッドは対で包装され、“警音”と“警報”と共に、またセンサーと貯蔵器のハウジング壁との間に置かれる通常のゲルと共に用いるのを容易にしている。このパッドは比較的堅くまたパッドの外側に沿う差込み型の固定用タブを受け入れる差込み型取付け突起とパッドの内側に沿う接着剤の塗布された発泡体テープとを含んでいる。ここで用いられるように、“外側”はパッドの使用時貯蔵器から離れて対面するパッドの側を云い、また“内側”は貯蔵器に面し貯蔵器に取付けられたパッドの側を云う。パッドの内側は貯蔵器の円形断面に一致するようになっているパッドの中央部分に沿ってパッドの上縁と下縁との間に延びる凹面状にわん曲した内側部分と、パッドの側縁に沿ってパッドの上縁と下縁との間に延び平らな壁の貯蔵器に一致するようにしている平らな端部部分とを含んでいる。このパッドはさらに、超音波変換器の変換器レンズが貯蔵器との作動上の関係が得られる、例えば貯蔵器の壁に接触できるようにする、パッドを貫通する開口を有している。発泡体テープを除き、このパッドは米国ペンシルバニア，ピッツバークのモーベイケミカル会社から商標名“ＭＥＲＬＯＮ  No. ２６０８”のもとに入手できるポリカーボネート材料の１つの連続した部材に一体に成形される。
【０００６】
他の取付けパッドは米国カリフオルニア，アーバインのシーレイ会社（現在はソリンバイオメディカル会社）から商標名“Ｍｏｕｎｔｉｎｇ  Ｐａｄ（製品名：２３−２２−０８）”のもとに入手可能である。この取付けパッドは取付けパッドを貯蔵器のハウジング壁上に保持するための接着剤を含んでいる。
【０００７】
その他の取付けパッドは米国コロラド，アルバダのコーブカーデイオバスキュラー会社から商標名“Ｃａｔａｌｏｇ  No. ０４３−２２０−３５０  Ｌｅｖｅｌ  Ｓｅｎｓｏｒ  Ｄｉｓｐｏｓａｂｌｅ  Ｐｌａｔｅ”のもとに、また米国コロラド，レイクウッドのコーブラボラトリーズ会社から商標名“Ｃａｔａｌｏｇ  No. ０４３２２０−３００  Ａｔｔａｃｈｍｅｎｔ  Ｐｌａｔｅ”のもとに入手可能である。これらの取付けパッドはそれぞれ取付けパッドを貯蔵器のハウジング壁上に保持するための接着剤を含んでいる。
【０００８】
多くの従来の取付けパッドに関する問題は使用中貯蔵器の壁に固定された状態を保つ取付けパッドがないことである。この結果は誤った警音と警報を発することが多くなる。
【０００９】
典型的には、超音波変換器が貯蔵器のハウジング壁に対してばね付勢され、変換器が等しい外側に向けられた力を貯蔵器上に変換器を保持する取付けパッドに加えるようにする。このような外側に向けられた力は接着剤のずれ動きを生じるようになり、ある場合には取付けパッドが貯蔵器から分離するようになる。時間が過ぎるとこの取付けパッドは従来の構造では力が集中する傾向のある接着領域の縁から剥がれるようになる。灌注者に対する１つの反応は、何とかして少しの間取付けパッドを貯蔵器にくっつけ直そうとすることである。取付けパッドを貯蔵器の壁から離そうとする他の力は、変換器／センサーのケーブルの重量と、使用中の変換器とケーブルとの衝突とを含んでいる。
【００１０】
赤外線血液レベルセンサーが商標名“ＳＡＲＮＳ  ７０００”のレベルセンサーのもとに入手可能である。このレベルセンサーは吸引型取付け具で取付けられる。
【００１１】
【発明が解決しようとする課題】
本発明は、貯蔵器にセンサーを取付けるための取付けパッドであって、堅いハウジング壁、例えばほぼ矩形の又は円い水平の断面を有するハウジングの形状に一致するようになっている取付けパッドを提供する。この取付けパッドは積極的にハウジング壁を掴み取付けパッドがハウジング壁から偶然に離れることがないように構成されている。本発明の取付けパッドは安価で、使い易く、信頼性があり、使い捨てできるようになっている。
【００１２】
【課題を解決するための手段】
一般に、本発明の取付けパッドは、本体と、センサーを取付け具の本体に取付ける本体上の手段と、少なくとも２つの足パッドとを具備している。各足パッドは、縁と接着剤の塗膜を有する取付け表面と、取付け表面に対向する外側表面とを有する。この外側表面は足パッドの縁の中間で本体に回動自在に連結されそれにより（ａ）足パッドが貯蔵器の形状に一致するよう本体に対し回動することができ、（ｂ）取付けパッドの本体を介して足パッドに加えられる力が全て足パッドの縁の中間に加えられるようにする。
【００１３】
本発明の第２の形態においては、取付けパッドと固定用部材とを具備する機構が提供される。この固定用部材は第１の端部と超音波レベルセンサーの超音波変換器を受け入れる内部空間とを有し、この内部空間は、固定用部材の第１の端部を貫通する開放端部を有している。スプリングが固定用部材の内部に設けられ変換器を第１の端部に向う方向に付勢するようにしている。外側に延出する固定用タブが固定用部材の第１の端部に近接して設けられる。差込み式固定用接続具と貫通開口が取付けパッドに設けられる。この差込み式固定用接続具は、固定用部材の固定用タブを取付けパッド本体を貫通する開口に整列された固定用部材の内部空間の開放端部と共に取付けパッド本体に固定するための突起を有し、それにより固定用部材の空間に受け入れられた超音波変換器の変換器レンズがまた取付けパッドの本体の開口を通って受け入れられるようにする。
【００１４】
本発明の第３の形態においては、超音波レベルセンサーを血液貯蔵器に取付ける方法が提供される。本発明の方法は一般に次の段階を含んでいる。
（ａ）解放ライナーを取付けパッドの足パッドから取除き接着塗膜を露出させる。
（ｂ）足パッドを貯蔵器のハウジングに押しつけるとともに足パッドを本体に対し回動させ貯蔵器のハウジングの形状に一致させる。
（ｃ）固定用部材を取付けパッドの差込み式固定用接続具に押しつけ、（ｄ）固定用部材を回転して固定用部材の固定用タブを取付け具の差込み式固定用接続具に係合させ、超音波変換器の変換器レンズを取付けパッドの本体の開口を通って貯蔵器と作動するような関係にする。
（ｅ）力を取付け具の本体に加え、これらの力が足パッドの縁に直接伝達されず足パッドの縁の中間で足パッドに伝達されるようにする。
【００１５】
本発明のさらなる詳細は特許請求の範囲の特徴部分に規定されている。これらのまた他の利点と特徴は以下に記載される。
【００１６】
【発明の実施の形態】
本発明は全図面を通して同一の符号が同一の部分を示す図面を参照して以下にさらに詳細に記載される。
【００１７】
図面を参照すると、本発明の取付けパッドがその全体を符号１０で示されている。取付けパッド１０は特に、図６に示されるように、貯蔵器１３のほぼ円弧状の側部ハウジング壁１２に接着剤で取付けられるようになっている。貯蔵器１３は例えば、体外循環支持回路の一部である静脈血貯蔵器又は一体の静脈／心臓切開血液貯蔵器である。貯蔵器１３の壁１２は、患者の静脈組織から排出され及び／又は心臓バイパス手術の間手術領域から排除された静脈血を保持する室を区画形成する。この壁１２は典型的には一般にポリカーボネートのような透明な超音波適合性材料で形成され、またほぼ円い又は矩形の水平断面を有することができる。このような回路は典型的には貯蔵器１３と血液ポンプ（例えば蠕動ローラーポンプ又は遠心ポンプ）と、血液酸素処理器と熱交換器とを含んでいる。これらの回路の例は共同譲渡の米国特許第５，２８２，７８３号、共同譲渡の米国特許出願シリーズ番号０８／１４２，８０９号、１９９３年１０月２５日出願、及びＰＣＴ国際特許出願第ＷＯ９５／１１７０９号に開示されている。
【００１８】
図６に示されるように、取付けパッド１０は貯蔵器１３と作動する関係にあるレベルセンサーの超音波変換器１４を保持し、例えば、血液のような流体のレベル１６又は１８が変換器１４より上であるか下であるかを検出する。適当な超音波レベルセンサーは米国，ミネソタ，セントポールのミネソタマイニングアンドマニュファクチアリング会社から商標名“ＳＡＲＮＳ  ８Ｋ”と“ＳＡＲＮＳ  ９Ｋ”のもとに入手できる。超音波変換器１４は、普通にはゲルが変換器レンズ１５と貯蔵器１３の壁１２との間に設けられた後に貯蔵器１３のハウジング壁１２と接触するようにされる変換器レンズ（図示しない）を含んでいる。ケーブル１７が超音波変換器１４を付加装置に接続し警音又は警報を発し、そして警報が発せられた場合には灌注ポンプを停止させる。液体レベルが超音波変換器１４のレベルより下に降下した時、光及び音響警報が発せられそして支持回路の血液ポンプ（図示しない）が停止される。取付けパッド１０はまた他の型のセンサー、例えば壁に近接し又は当接して保持される光血液ガスセンサー、泡検出器、又は任意の他のセンサーを保持するのに用いることができる。
【００１９】
取付けパッド１０は一般に本体２０と、センサー変換器１４を取付けパッド１０の本体２０に取付ける本体２０上の手段２２と、少なくとも２つの新規な足パッド２４とを具備している。各足パッド２４は縁２６と、接着剤塗膜を有する取付け面２８と、取付け面２８と反対側の外面３０とを有している。ここに用いられるように、“内側”なる用語は取付けパッド１０の使用時貯蔵器壁１２に面する方向を云い、また“外側”なる用語は取付けパッド１０の使用時貯蔵器壁１２から離れて面する方向を云う。この“外側”方向は図１と２において上方に延びる方向であり、また“内側”方向は図１と２において下方に延びる方向である。
【００２０】
各足パッド２４の外側表面３０は足パッド２４の縁２６の中間で本体２０に回動自在に連結されそれにより（ａ）足パッド２４が貯蔵器の形状（例えばほぼ円い又は矩形の水平断面）に一致するよう本体２０に対し回動することができ、（ｂ）取付けパッド１０の本体２０を介して足パッド２４に加えられる全ての力が足パッド２４の縁２６の中間で加えられるようにする。これは、通常は接着剤のクリープ（すべり）と取付けパッドの貯蔵器壁からの解放とを生じるような接着領域の縁に沿って直接加えられる力を伴う従来の取付けパッドとは対照的な形状である。ここに用いられるように、“中間”なる用語は、足パッド２４を本体２０に回動自在に連結するリビングヒンジ（蝶番）５２の構造が足パッド２４の任意の縁２６から間隔をおいて位置しそれにより蝶番５２を介して足パッド２４に加えられる全ての力が足パッド２４の縁の“中間”で加えられることを云う。
【００２１】
センサー１４を取付けパッド１０の本体２０に取付ける本体２０上の手段２２は好ましくは差込み式接続具２２からなり、取付けパッド１０の本体２０が、貫通するほぼ円い開口３２を有し差込み式接続具２２に取付けられたセンサー変換器１４を受け入れ変換器レンズ１５を貯蔵器と作動関係にあるようにする。差込み式接続具２２は取付けパッド１０の本体２０から外側に延びるほぼ円筒状のボス（これも２２で示す）の形式とし、ほぼ円い又は円筒形の貫通開口３２が差込み式接続具２２を貫通して延びまた本体２０が接続具２２とほぼ同心の関係となっている。
【００２２】
最も好ましくは、差込み式接続具２２は、貫通開口３２の対向側に沿う少なくとも２つのほぼ円弧状の差込み式固定用突起３４と、固定用突起３４の中へと延びほぼ円筒状の固定用部材４０の差込み式の横方向外側に延びる固定用タブ３８を受け入れる２つの切込み３６とを具備している。固定用部材４０に関して用いられるように、“横方向外側に”なる用語は固定用部材４０の長手方向軸線に対して横方向外側の方向、すなわち固定用部材４０の長手方向軸線に対しほぼ直角の方向を云う。２つのほぼ円弧状の張出し突起４２が固定用突起３４のほぼ内側で差込み式接続具２２に設けられ、固定用部材４０の第１の端部４４が、固定用タブ３８が差込み式接続具２２の固定用突起３４の下側に回転された時に張出し突起４２に当接するようになっている。
【００２３】
張出し突起４２は好ましくは固定用突起３４に対し貫通開口３２の中心に関して半径方向に変位し、張出し突起４２の間の間隙４６が固定用突起３４と半径方向に整列されている。例えば、２つの固定用突起３４を有する接続具２２において、２つのタブ受け入れ切込み３６と２つの張出し突起、各固定用突起３４は約３４°の円弧にわたって延び、また各タブ受け入れ切込み３６は約３１°の円弧にわたって延び、各張出し突起４２は約１１５°の円弧にわたって延び、全体の円弧が大きな重なりなしに合計３６０°になるようにしている。この配置構造は差込み式接続具２２を固定用タブ３８の厚さと堅さのための比較的広い公差を有する固定用部材４０と共に用いるのを容易にする。
【００２４】
さらに、好ましくは、少なくとも１つのつめ突起４８が固定用突起３４の少なくとも１つ、好ましくは両方の内側に沿って設けられ、差込み式接続具２２に対する固定用部材４０の回転に抵抗し固定用部材４０が取付けパッド１０から偶然に外れることがないようにする。この取付けパッド１０の材料の抵抗性によりつめ突起４８は固定用部材４０が慎重に回転され外される時に支障が生じない。
【００２５】
本体２０と差込み式接続具２２と足パッド２４を含む取付けパッド１０は好ましくは適当な熱可塑性材料で連続した一部材に一体成形される。ここで用いられるように“一体成形される”又は“一体に”は複数の部材が１つの組立体を形成するため機械的に一緒に固定され又は一緒に接着されるのとは反対に、１つの連続した部材に成形され又は形成されることを意味する。好ましい熱可塑性材料は米国，デラウエア，ウイルミングトンのイー・エル・デュポンデネモアズ会社から商標“ＺＹＴＥＬ  １０１”のもとに入手可能である。
【００２６】
最も好ましくは、図４に示されるように、取付けパッド１０の本体２０はほぼ平坦でありまたほぼ正方形又は矩形である。本体２０は図１と２に示されるように、本体２０の平面から離れ蝶番５２の方にわん曲する向き合った縁５０を有している。例えば、向き合う縁５０は本体２０の平面から離れ内側方向に向って約４５°の角度で曲がっている。ほぼ円筒形の差込み式接続具２２が図１と２に示されるように取付けパッド１０の本体２０から外側に延びている。
【００２７】
図１と２に示されるように、足パッド２４は本体２０に対し蝶番５２に沿って回動自在であり足パッド２４が、足パッド２４の取付け表面２８が本体２０とは一般に平行でない位置へと回動されるようにする。各蝶番５２は一般に細長く取付けパッド１０の一体成形された部分である。蝶番５２は実質的に取付けパッド１０の本体２０の対向縁５０の全長に沿って延びている。足パッド２４は取付けパッド１０の本体２０に対し蝶番５２に沿って回動することができ、図６に示されるようにほぼ円い水平断面を有する貯蔵器１３の壁１２に一致するよう又はほぼ正方形もしくは矩形の断面のような他の断面を有する貯蔵器に一致するようになっている。例えば、各蝶番５２は本体２０の約０．０６インチ（１．３mm）のほぼ全体の厚さから約０．００５インチ（０．１１mm）の蝶番５２の厚さまで小さくなるよう傾斜した本体２０の厚さを有することによって形成される。
【００２８】
好ましくは、各足パッド２４は図３と４に示されるように他方の足パッド２４とほぼ平行の長手方向を有するほぼ矩形の形状である。各足パッド２４にとって蝶番５２の長手方向は足パッド２４の長手方向にほぼ沿っている。この配置構造は、足パッド２４が図１と２に示されるように取付けパッドの本体２０に対し幅方向を横切って回動できるようになっている。足パッド２４は一般に相互に近づく方向に本体２０に向って僅かに傾斜する位置に向って付勢されており、それによりさらに、ほぼ凸面状にわん曲した外側壁面を有する貯蔵器１３のハウジング壁１２に一致するようになる。
【００２９】
足パッド２４は一般に、足パッド２４が貯蔵器１３の形状にさらに一致するよう十分に弾性的に屈撓可能である。ここに用いられるように、“屈撓性”なる用語は、本体２０に対し蝶番５２に沿って回動する足パッド２４の能力を云う“回動自在”なる用語とは反対の、足パッド２４がその幅又は長さに沿って曲がり又は屈撓する足パッド２４の能力を云う。足パッド２４は一般に本体２０の厚さに比較して薄く、例えば足パッド２４が本体２０と差込み式接続具２２との比較的堅いのに比べて比較的屈撓性であるようにする。例えば、本体２０は約０．０６インチ（１．３mm）の厚さを有し各足パッド２４は約０．０１５インチ（０．３７mm）の厚さを有することができる。足パッド２４は足パッド２４の長さに沿って延びる細長い蝶番のためその長さを横切るよりは幅を横切ってより屈撓性である。
【００３０】
また、好ましくは、各足パッド２４は取付けパッド１０の本体２０を貫通する開口３２にほぼ近接してほぼ凹面の円い縁部分５４を有している。この円い縁部分５４は差込み式接続具２２と開口３２がこの円い縁部分５４がない場合よりも取付けパッド１０のさらに大きな幅を用いることができるようにする。この円い縁部分５４は足パッド２４と変換器１４とが相互に干渉しないようにし、また足パッド２４が相互に対し比較的接近した間隔で位置できるようにする。さらに、円い縁部５４は足パッド２４の長手方向と横方向の足パッド２４の屈撓性を増大させる。
【００３１】
Ｖ字形の切込み５６がまた足パッド２４に設けられ足パッド２４の屈撓性をその長手方向と横方向とに増大させるようにする。例えば、１つのほぼＶ字形の切込み５６が長手方向のほぼ中心に沿い横方向外側の縁に沿って設けられる。取付けパッド１０に関してここで用いられるように、“横方向外側に”なる用語は取付けパッド１０の本体２０から離れて足パッド２４の幅を横切る方向を云う。この“横方向外側”方向は上記の定義した“内側”と“外側”にほぼ直角の方向である図１から４の取付けパッド１０の右側又は左側に向う方向である。
【００３２】
最も好ましくは、足パッド２４の取付け面（これも２８で示す）上の接着塗膜２８は米国，ミネソタ，セントポールのミネソタマイニングアンドマニュファクチアリング会社から商標名“ＳＣＯＴＣＨ  ＶＨＢ  Ｖｅｒｙ  Ｈｉｇｈ  Ｂｏｎｄ  Ｊｏｉｎｉｎｇ  Ｓｙｓｔｅｍ”のもとに入手可能なアクリル感圧接着剤によって提供される。公知の解放ライナー５８（図１）が各足パッド２４の取付け面２８に付着され取付けパッド１０の使用前に接着塗膜２８を被覆する。
【００３３】
図６に示されるように、固定用部材４０はほぼ円筒形であり、そしてほぼ円筒形の内部空間６０を有しレベルセンサーの超音波変換器１４を受け入れるようにする。この内部空間６０は固定用部材４０の第１の端部４４を通る開放端部を有し、この開放端部を通って変換器１４の変換器レンズが作動する関係に、例えば貯蔵器１３の壁１２と接触するように延びている。窓６２が固定用部材４０の壁を貫通して設けられ変換器１４とケーブル１７とが固定用部材４０の壁を通過できるようにする。固定用部材４０はナイロン又はポリカーボネートのような熱可塑性材料で一体成形される。
【００３４】
固定用部材４０の固定用タブ３８は取付けパッド１０の本体２０の差込み式固定用接続具２２の固定用突起３４の下側に解放自在に固定可能である。固定用タブ３８が固定用突起３４の下側に固定された時、固定用部材４０の内部空間６０の開放端部が本体２０を貫通する開口３２と整列されそれにより固定用部材４０の空間に受け入れられた超音波変換器１４の変換器レンズがまた本体２０の開口３２を通して受け入れられるようにする。
【００３５】
コイルスプリング６４が固定用部材４０の内部に設けられ、超音波変換器１４を固定用部材４０の第１の端部４４に向って固定用部材４０の内部空間６０の長手方向軸線に沿う方向に付勢するようにしている。これは貯蔵器１３のハウジング壁１２に向う変換器１４と固定用部材４０の使用時の方向であり変換器レンズ１５を貯蔵器１３と作動する関係にするようにしている。ボス（開示しない）が固定用部材４０の内部空間６０の内部に設けられ、固定用部材４０の外端部６６から短い距離で内部空間６０の内部に長手方向に延びている。コイルスプリング６４はこのボスに受けられコイルスプリング６４と変換器１４とを固定用部材４０の内部空間６０の内部に保持するのを助けるようにする。
【００３６】
コイルスプリング６４は貯蔵器１３の壁１２を押しつける力を生じ、そのため外側に向う力が、固定用部材４０と差込み式接続具２２とを本体２０と蝶番５２とを介して足パッド２４に加えられるようになる。このような外側に向う力は足パッド２４を貯蔵器１３の壁１２から離そうとする。しかし、この力は足パッド２４の縁２６の中央で足パッド２４に伝達されるので、足パッド２４上の接着塗膜２８が、この力が足パッドの縁に沿って直接伝達された場合よりもさらに良好に力に抵抗することができる。これは変換器１４、固定用部材４０又は変換器ケーブル１７を介して伝達される他の力、例えば変換器１４とケーブル１７の重量から生じる力とケーブル１７又は変換器１４を押すことから生じる力にとっても云えることである。
【００３７】
【作用】
取付けパッド１０は対で包装され、その一方が血液ポンプの停止を生じる結果となる警報を発する変換器１４を取付けるのに用いられ、またその他方が灌注者に警告を与える結果となる警音を発する変換器１４を取付けるのに用いられる。取付けパッド１０はこのほかに単に所望のように警音又は警報を発するのみに用いることができる。
【００３８】
取付けパッド１０を用いるためには、解放ライナー５８がまず足パッド２４から取除かれ接着剤塗膜２８を露出する。足パッド２４は次に貯蔵器１３のハウジング壁１２に押しつけられ、また足パッド２４を本体２０に対し回動させ貯蔵器１３のハウジング壁１２の形状と一致するようにする。最も好ましくは、足パッド２４は図２に示されるように、足パッド２４を貯蔵器１３のハウジング壁１２に押しつける直前に取付けパッド１０の本体２０に対して回動される。足パッド２４はついで本体２０に対し回動され貯蔵器１３のハウジング壁１２の形状に一致するようにされる。足パッド２４の弾性はまた足パッド２４が屈撓しハウジング壁１２の形状にさらに一致するようにする。
【００３９】
ゲルが通常は取付けパッド１０の開口３２を通り及び／又は変換器レンズ上でハウジング壁１２に塗布される。あるいは、コイルスプリング６４と変換器レンズとがゲルなしで変換器１４を用いることができるよう選択される。
【００４０】
取付けパッド１０が貯蔵器１３の壁１２に付着された後、固定用部材４０が取付けパッド１０の差込み式固定用接続具２２に押しつけられそして固定用部材４０が回転され差込み式固定用接続具２２の固定用突起３４の下側に固定用部材４０の固定用タブ３８が係合するようにされる。これは固定用部材４０の内部空間６０に受け入れられる超音波変換器１４の変換器レンズが取付けパッド１０の本体２０の開口３２を通り貯蔵器１３と作動する関係になるようにする。あるいは、固定用部材４０が、取付けパッド１０の貯蔵器１３の壁１２への付着前に取付けパッド１０に連結される。
【００４１】
コイルスプリング６４は超音波変換器１４を固定用部材４０と取付けパッド１０に対し貯蔵器１３のハウジング壁１２に向って付勢する。これは外側に向けられた力が、足パッド２４の縁２６の中間である蝶番５２に沿って取付けパッド１０の足パッド２４に加えられる結果をもたらす。この結果、これらの力は足パッド２４の縁２６に直接ではなく足パッド２４の縁２６の中間で足パッド２４に伝達され、それにより力がこのような接着領域の縁に近接して接着領域に伝達される取付けパッドに比べ接着剤塗膜２８のすべりと減退とを少なくすることができる。本体２０と蝶番５２とを介して足パッド２４の縁２６の中間で足パッド２４に伝達される他の力は変換器１４、固定用部材４０及びケーブル１７の重量とケーブル１７を押すことにより生ずる力とを含んでいる。
【００４２】
取付けパッド１０は超音波レベルセンサーと共に用いるよう記載されているが、本発明はこれに限定されないことが理解されるであろう。取付けパッド１０は相補的な締結要素例えば差込み式固定用タブを組込み又はこのような締結要素を有する固定用部材に保持された、任意の型のセンサー又は変換器と共に用いることができる。さらにまた、取付けパッド１０は心臓血管灌注装置に用いるものとして記載されているが、この分野以外に、例えば他の医療及び外科の分野に又は医療及び外科分野以外にも適用することができる。
【００４３】
種々の変更が特許請求の範囲に規定される本発明の範囲から逸脱することなく上記の構造と方法に行われるので、上記の記載に含まれ又は添付図面に示される全ての事項は例示でありまた限定する意志ではないことが意図されるものである。
【図面の簡単な説明】
【図１】本発明の取付けパッドの側面図で、取付けパッドが血液貯蔵器に用いられるときの取付けパッドの頂部又は底部を示す。
【図２】図１の取付けパッドの側面図で、取付けパッドの２つの足パッドが取付けパッドの本体に対しリビングヒンジ（蝶番部）に沿って回動されているところを示す。
【図３】取付けパッドの“内側”側面を示す図１と２の取付けパッドの底面図である。
【図４】取付けパッドの“外側”側面を示す図１から３の取付けパッドの頂面図である。
【図５】図４の５−５線に沿った断面図である。
【図６】心臓血管手術の間心臓支持のために用いられる型式の血液貯蔵器のハウジング壁に取付けられた本発明の取付けパッドの、固定用部材と超音波変換器が取付けパッドに取付けられているところを示す斜面図である。
【図７】固定用部材から外側に延出する差込み型固定用タブを示す図６の固定用部材の側面図である。
【符号の説明】
１０…取付けパッド
１２…ハウジング壁
１３…貯蔵器
１４…超音波変換器
２０…本体
２２…取付け手段（差込み式接続具）
２４…足パッド
２６…縁
２８…取付け面
３０…外面
３２…開口
３４…差込み式固定用突起
３６…切込み
３８…固定用タブ
４０…固定用部材
４２…張出し突起
４４…第１の端部
５０…縁
５２…蝶番
５４…縁部
５６…切込み
５８…解放ライナー
６０…内部空間
【図１】
0003803417.tif 000002
【図２】
0003803417.tif 000003
【図３】
0003803417.tif 000004
【図４】
0003803417.tif 000005
【図５】
0003803417.tif 000006
【図６】
0003803417.tif 000007
【図７】
0003803417.tif 000008